(57)【要約】  【課題】キャスタをロックする手間を有効に回避し家具本体或いは接地体を好適に載置し得る構成としつつ、好適に移動させることができるキャスタ付家具並びにキャスタの取付構造を提供する。  【解決手段】複数のキャスタＣを全て接地させ且つ複数のワンウェイキャスタＣ１が移動方向への移動を互いに禁止し合うことによりデスク本体Ｄｈが移動不能に固定された載置姿勢Ｐ１と、載置姿勢Ｐ１からデスク本体Ｄｈを所定の傾斜方向に傾斜させた際に少なくとも一以上のワンウェイキャスタＣ１が床面から離間し且つ複数のキャスタＣのうち接地しているキャスタＣによってデスク本体Ｄｈを移動させ得る傾斜姿勢Ｌ１とをとり得るように構成している。  【選択図】図１
2006271612.tif 000002
【特許請求の範囲】
【請求項１】
家具本体と、家具本体と床面との間に介在し前記家具本体を支持する複数のキャスタとによって構成したものであって、
前記複数のキャスタを、所定の一方向への移動方向のみ移動し且つ当該移動方向以外の方向への移動を禁止し得るワンウェイキャスタを複数含み、当該複数のワンウェイキャスタの前記移動方向を複数方向に設定して配置したものとし、前記家具本体が、
前記複数のキャスタを全て接地させ且つ前記複数のワンウェイキャスタが前記移動方向への移動を互いに禁止し合うことにより移動不能に固定された載置姿勢と、
当該載置姿勢から前記家具本体を所定の傾斜方向に傾斜させた際に少なくとも一以上の前記ワンウェイキャスタが前記床面から離間し且つ前記複数のキャスタのうち接地しているキャスタによって移動し得る傾斜姿勢とをとり得るように構成していることを特徴とするキャスタ付家具。
【請求項２】
前記傾斜姿勢において二以上の前記キャスタが接地するように構成している請求項１記載のキャスタ付家具。
【請求項３】
前記傾斜方向がそれぞれ異なる複数の傾斜姿勢をとり得るように構成している請求項２記載のキャスタ付家具。
【請求項４】
前記傾斜姿勢において接地しているキャスタが前記ワンウェイキャスタを含むように構成している請求項１、２又は３記載のキャスタ付家具。
【請求項５】
前記傾斜方向がそれぞれ異なる複数の傾斜姿勢とをとり得るように構成しているものであって、前記複数の傾斜姿勢においてそれぞれ異なる移動方向に前記家具本体を移動させ得るように構成している請求項４記載のキャスタ付家具。
【請求項６】
前記複数のキャスタを前記家具本体の平面視周縁に沿って配置している請求項１、２、３、４又は５記載のキャスタ付家具。
【請求項７】
前記複数のキャスタをワンウェイキャスタのみによって構成している請求項１、２、３、４、５又は６記載のキャスタ付家具。
【請求項８】
前記複数のキャスタが、移動方向をそれぞれ対向或いは離反するように配置した第一のワンウェイキャスタと第二のワンウェイキャスタとを有するものである請求項１、２、３、４、５、６又は７記載のキャスタ付家具。
【請求項９】
前記第一のワンウェイキャスタの移動方向へ移動し得る第一の傾斜姿勢と前記第二のワンウェイキャスタの移動方向へ移動し得る第二の傾斜姿勢とをそれぞれとり得るように構成している請求項８記載のキャスタ付家具。
【請求項１０】
前記第一のワンウェイキャスタと前記第二のワンウェイキャスタとがそれぞれ平行となるように複数配置している請求項８記載のキャスタ付家具。
【請求項１１】
前記家具本体を天板付家具としたものであって、前記第一のワンウェイキャスタ及び前記第二のワンウェイキャスタを天板における使用縁及び反使用縁に沿ってそれぞれ配置している１０記載のキャスタ付家具。
【請求項１２】
前記天板付家具の天板における対向する二辺の両端部に前記第一のワンウェイキャスタ及び第二のワンウェイキャスタをそれぞれ配置している請求項１１記載のキャスタ付家具。
【請求項１３】
前記第一のワンウェイキャスタ及び第二のワンウェイキャスタを前記天板の長手方向に沿って配置している請求項１１又は１２記載のキャスタ付家具。
【請求項１４】
前記第一のワンウェイキャスタ及び前記第二のワンウェイキャスタを前記天板の長手方向に直交する方向に沿って配置している請求項１１又は１２記載のキャスタ付家具。
【請求項１５】
前記天板付家具を矩形状の天板を有するデスクとしたものであって、前記第一のワンウェイキャスタ及び第二のワンウェイキャスタの移動方向をそれぞれ離反する方向に設定している請求項１３記載のキャスタ付家具。
【請求項１６】
前記天板付家具を矩形状の天板を有するデスクとしたものであって、前記第一のワンウェイキャスタ及び第二のワンウェイキャスタの移動方向をそれぞれ対向する方向に設定している請求項１３記載のキャスタ付家具。
【請求項１７】
接地体に複数のキャスタを取り付け当該接地体を支持させてなるキャスタの取付構造であって、
前記複数のキャスタを、所定の一方向への移動方向のみ移動し且つ当該移動方向以外の方向への移動を禁止し得るワンウェイキャスタを複数含み、当該複数のワンウェイキャスタの前記移動方向を複数方向に設定して配置したものとし、前記接地体が、
前記複数のキャスタを全て接地させ且つ前記複数のワンウェイキャスタが前記移動方向への移動を互いに禁止し合うことにより移動不能に固定された載置姿勢と、
当該載置姿勢から所定の傾斜方向に傾斜させた際に少なくとも一以上の前記ワンウェイキャスタが前記床面から離間し且つ前記複数のキャスタのうち接地しているキャスタによって移動し得る傾斜姿勢とをとり得るように前記複数のキャスタを取り付けていることを特徴とするキャスタの取付構造。
【請求項１８】
前記傾斜姿勢において二以上の前記キャスタが接地するように前記複数のキャスタを取り付けている請求項１７記載のキャスタの取付構造。
【請求項１９】
前記傾斜方向がそれぞれ異なる複数の傾斜姿勢をとり得るように前記複数のキャスタを取り付けている請求項１８記載のキャスタの取付構造。
【請求項２０】
前記傾斜姿勢において接地しているキャスタが前記ワンウェイキャスタを含むように前記複数のキャスタを取り付けている請求項１７、１８又は１９記載のキャスタの取付構造。
【請求項２１】
前記傾斜方向がそれぞれ異なる複数の傾斜姿勢とをとり得るように前記複数のキャスタを取り付けているものであって、前記複数の傾斜姿勢においてそれぞれ異なる移動方向に前記接地体を移動させ得るように構成している請求項２０記載のキャスタの取付構造。
【請求項２２】
前記複数のキャスタを前記接地体の平面視周縁に沿って取り付けている請求項１７、１８、１９、２０又は２１記載のキャスタの取付構造。
【請求項２３】
前記複数のキャスタとしてワンウェイキャスタのみを取り付けている請求項１７、１８、１９、２０、２１又は２２記載のキャスタの取付構造。
【請求項２４】
前記複数のキャスタが、移動方向をそれぞれ対向或いは離反するように取り付けた第一のワンウェイキャスタと第二のワンウェイキャスタとを有するものである請求項１７、１８、１９、２０、２１、２２又は２３記載のキャスタの取付構造。
【請求項２５】
前記第一のワンウェイキャスタの移動方向へ移動し得る第一の傾斜姿勢と前記第二のワンウェイキャスタの移動方向へ移動し得る第二の傾斜姿勢とをそれぞれとり得るように前記複数のキャスタを取り付けている請求項２４記載のキャスタの取付構造。
【請求項２６】
前記第一のワンウェイキャスタと前記第二のワンウェイキャスタとがそれぞれ平行となるように複数取り付けている請求項２５記載のキャスタの取付構造。
【請求項２７】
前記接地体を天板付家具としたものであって、前記第一のワンウェイキャスタ及び前記第二のワンウェイキャスタを天板における使用縁及び反使用縁に沿ってそれぞれ取り付けている２６記載のキャスタの取付構造。
【請求項２８】
前記天板付家具の天板における対向する二辺の両端部に前記第一のワンウェイキャスタ及び第二のワンウェイキャスタをそれぞれ取り付けている請求項２７記載のキャスタの取付構造。
【請求項２９】
前記第一のワンウェイキャスタ及び第二のワンウェイキャスタを前記天板の長手方向に沿って取り付けている請求項２７又は２８記載のキャスタの取付構造。
【請求項３０】
前記第一のワンウェイキャスタ及び前記第二のワンウェイキャスタを前記天板の長手方向に直交する方向に沿って取り付けている請求項２７又は２８記載のキャスタの取付構造。
【請求項３１】
前記天板付家具を矩形状の天板を有するデスクとしたものであって、前記第一のワンウェイキャスタ及び第二のワンウェイキャスタの移動方向をそれぞれ離反する方向に設定して前記ワンウェイキャスタを取り付けている請求項２９記載のキャスタの取付構造。
【請求項３２】
前記天板付家具を矩形状の天板を有するデスクとしたものであって、前記第一のワンウェイキャスタ及び第二のワンウェイキャスタの移動方向をそれぞれ対向する方向に設定して前記ワンウェイキャスタを取り付けている請求項２９記載のキャスタの取付構造。
【発明の詳細な説明】
【技術分野】
【０００１】
本発明は、キャスタを介して床面に接するキャスタ付家具、並びに接地体にキャスタを取り付けるキャスタの取付構造に関するものである。
【背景技術】
【０００２】
従来、キャスタによって移動し得るように構成されたキャスタ付家具は、例えば双輪キャスタや低床キャスタと呼ばれるような、全方向に移動し得る例えば旋回可能に構成されたキャスタ（以下、旋回キャスタと記す）によって家具本体を支持するように構成されたものがある。そして同文献に記された家具に取り付けられたキャスタは、一般に所定位置に載置しておく際には一部又は全部のキャスタに設けられたロック機能によって旋回キャスタの回転をロックすることにより、家具本体を移動不能となるように構成している（例えば、特許文献１参照）。詳細には、一般に脚或いは脚ベースに取り付けられる下面が開放された有底円筒状をなす支持体と、前記支持体内に収容したキャスタ本体とを具備している。前記キャスタ本体は、水平軸心回りに回動可能に取り付けた一対の走行用の車輪と前記支持体に取り付けられ鉛直軸心回りに旋回可能に車輪を支持している円盤状の旋回部とを備えている。そして、車輪と旋回部とを同時にロックしてキャスタの移動と停止とを確実にすることが可能なロック手段を備えている。
【０００３】
一方、キャスタ付家具においても、移動させる事よりも主に載置することに重点を置いたものとして、固定脚とキャスタ付脚とによって家具本体を支持する態様のものがある（例えば、特許文献２参照）。このようなキャスタ付家具の場合、移動させる際には固定脚を持ち上げてキャスタのみを接地させた傾斜姿勢とし、キャスタが移動し得る方向へ当該キャスタ付家具自体を移動させ得る構成となっている。
【０００４】
また、固定脚と組み合わせて用いられるキャスタとして、上述の旋回キャスタを用いる場合も有るが、家具本体が使用者によって容易に移動させやすい大きさのものであったり、家具本体を移動させる方向が自ずと限られるように設定されたものである場合は、家具本体に対して旋回不能に取り付けられ且つ一方向の回転が許容されるとともに逆方向への回転が禁止されるように構成されたキャスタ（以下、ワンウェイキャスタと記す）が用いられる場合がある。（例えば、特許文献３参照）このようなワンウェイキャスタは、移動させる方向が限られる一方、当該移動し得る方向へは正確且つ安定して移動させることができるという利点がある。
【特許文献１】特開平１０−１９３９０６号公報
【特許文献２】特開２００１−２５８６５０号公報
【特許文献３】特開平８−９１００８号公報
【発明の開示】
【発明が解決しようとする課題】
【０００５】
しかしながら、上述したような旋回キャスタによって支持されたキャスタ付家具の場合、移動不能に載置する際にはキャスタに取り付けられているロック機構を操作し旋回キャスタをその都度回動不能に設定する動作を行わなければならない。また、ロック機構を具備する旋回キャスタはいきおい構造も複雑になりコストも嵩んだものとなりがちであるため、キャスタを取り付ける家具によっては例えばコスト等の要件のため、取り付けるに相応しくない場合がある。またその問題はワンウェイキャスタを取り付けた場合においても同様である。
【０００６】
本発明は、このような不具合に着目したものであり、好適に載置し得る構成としつつ、載置する際にキャスタをロックする手間を有効に回避したキャスタ付家具を提供する。
【課題を解決するための手段】
【０００７】
本発明は、このような目的を達成するために、次のような手段を講じたものである。すなわち、本発明は、家具本体或いは接地体と、家具本体或いは接地体と床面との間に介在し前記家具本体或いは接地体を支持する複数のキャスタとによって構成したキャスタ付家具、並びに、接地体に複数のキャスタを取り付け当該接地体を支持させてなるキャスタの取付構造であって、複数のキャスタを、所定の一方向への移動方向のみ移動し且つ当該移動方向以外の方向への移動を禁止し得るワンウェイキャスタを複数含み、当該複数のワンウェイキャスタの前記移動方向を複数方向に設定して配置したものとし、複数のキャスタを全て接地させ且つ複数のワンウェイキャスタが移動方向への移動を互いに禁止し合うことにより移動不能に固定された載置姿勢と、載置姿勢から家具本体或いは接地体を所定の傾斜方向に傾斜させた際に少なくとも一以上のワンウェイキャスタが床面から離間し且つ複数のキャスタのうち接地しているキャスタによって移動し得る傾斜姿勢とを前記家具本体或いは前記接地体がとり得るように構成していることを特徴とする。
【０００８】
ここで、本明細書において傾斜方向とは、傾斜姿勢とした際に家具本体或いは接地体とともに傾斜する仮想の平面において順次高さ位置が低くなる方向を指すものとする。また、複数のキャスタが全てワンウェイキャスタによって構成されている必要はなく、全方向に沿って移動し得るように例えば旋回可能に構成されたキャスタを一部に配置したものであってもよい。さらに、傾斜姿勢とは家具本体或いは接地体の全体を傾斜させる必要はなく例えば部分的に傾斜させて１以上のワンウェイキャスタのみを持ち上げ得るように構成したものであっても良い。
【０００９】
このようなものであれば、家具本体或いは接地体を載置した載置姿勢において複数のワンウェイキャスタが互いに移動を禁止し合うことによって家具本体或いは接地体を好適に移動不能に固定することができるとともに、傾斜姿勢とすれば接地しているキャスタによって好適に家具本体或いは接地体を移動させ得るものとすることができる。すなわち、キャスタに格別の手段を設けることなく移動不能に載置させ得るキャスタ付家具並びにキャスタの取付構造とすることができる。
【００１０】
傾斜姿勢における家具本体或いは接地体の移動を安定させて行うためには、傾斜姿勢において二以上の前記キャスタが接地するように構成することが望ましい。ここで、設置しているキャスタが必ずしもワンウェイキャスタを含む必要はなく、全方向に沿って移動し得る例えば旋回可能に構成されたキャスタのみが接地した状態となってもよい。
【００１１】
また、使用者にとって都合のよい安定した傾斜姿勢を選択し得るものとして家具本体或いは接地体を移動させ易い構成とするためには、前記傾斜方向がそれぞれ異なる複数の傾斜姿勢をとり得るように構成することが好ましい。
【００１２】
傾斜姿勢において家具本体或いは接地体を移動させ得る方向を好適に設定するためには、傾斜姿勢において接地しているキャスタを、ワンウェイキャスタを含むように構成することが望ましい。また勿論、異なる傾斜姿勢においても移動方向を同じく設定してもよい。ここで、接地しているキャスタが一部に含まれるものであっても、接地しているキャスタ全てをワンウェイキャスタとしても良い。
【００１３】
傾斜姿勢を選択することで家具本体或いは接地体を移動させ得る方向を選択するためには、複数の傾斜姿勢においてそれぞれ異なる移動方向に家具本体或いは接地体を移動させ得るように構成しているものが好ましい。
【００１４】
載置姿勢においてキャスタに家具本体或いは接地体を好適に支持させ得る構成とするためには、複数のキャスタを家具本体或いは接地体の平面視周縁に沿って配置することが好ましい。さらに、載置姿勢において確実に移動不能に構成するためには、複数のキャスタがワンウェイキャスタのみから構成することが望ましい。
【００１５】
そして、複数のワンウェイキャスタが互いに移動を好適に禁止し合う具体的な構造として複数のキャスタが、移動方向をそれぞれ対向或いは離反するように配置した第一のワンウェイキャスタと第二のワンウェイキャスタとを有するものを挙げることができる。当該第一位置及び第二のワンウェイキャスタを含む構成とすることにより、載置姿勢において好適に家具本体或いは接地体を移動不能に構成することができる。なお、複数のキャスタが互いに移動を禁止し合う他の具体的な構造として、例えば三以上のワンウェイキャスタが仮想の一点に向かうか或いは仮想の一点から離散するように配置したものを挙げることができる。
【００１６】
傾斜方向と移動方向とを好適に対応させるためには、第一のワンウェイキャスタの移動方向へ移動し得る第一の傾斜姿勢と前記第二のワンウェイキャスタの移動方向へ移動し得る第二の傾斜姿勢とをそれぞれとり得るように構成することが望ましい。
【００１７】
第一及び第二のワンウェイキャスタが配列する方向に沿うように傾斜方向を設定して、傾斜方向と移動方向とを関連付けて家具本体或いは接地体を傾斜させる動作と家具本体或いは接地体を移動させる動作を連続して行い易い構成とするためには、第一のワンウェイキャスタと第二のワンウェイキャスタとがそれぞれ平行となるように複数配置することが望ましい。
【００１８】
ここで、家具本体或いは接地体を天板付家具としたものとした場合、第一及び第二のワンウェイキャスタを天板における使用縁及び反使用縁に沿ってそれぞれ配置したものとすれば、天板の形状が例えば四角形状のもの以外に、一部にアール形状を含むものやその他の形状とした場合においても、本発明を好適に適用することができる。
【００１９】
さらに天板付家具の脚にワンウェイキャスタを取り付ける具体的な構成として、天板付家具の天板における対向する二辺の両端部に前記第一及び第二のワンウェイキャスタをそれぞれ配置したものを挙げることができる。ここで、天板付家具の脚は天板の各隅部から垂下する態様に限られず、例えば天板の側端縁より垂下する脚ベースを有する態様のものであってもよい。
【００２０】
傾斜姿勢において長手方向両端においてワンウェイキャスタが接地する構成として、安定した傾斜姿勢として好適に移動させる構成とするためには、第一及び第二のワンウェイキャスタを天板の長手方向に沿ってそれぞれ配置することが望ましい。一方、使用者が天板の短寸方向から好適に天板付家具を移動させ得る構成とするためには、ワンウェイキャスタが接地する構成第一及び第二のワンウェイキャスタを天板の長手方向に直交する方向に沿って配置することが好ましい。
【００２１】
そして、使用者が使用縁から持ち上げて押すことにより好適に移動させ得るデスクとするためには、傾斜姿勢において長手方向両端においてワンウェイキャスタが接地する構成とし、さらに第一及び第二のワンウェイキャスタの移動方向をそれぞれ離反する方向に設定することが望ましい。一方、デスクを使用縁から持ち上げて引くことにより好適に移動させ得る構成とするためには第一及び第二のワンウェイキャスタの移動方向をそれぞれ対向する方向に設定すればよい。
【発明の効果】
【００２２】
本発明によれば、家具本体或いは接地体を載置した載置姿勢において複数のワンウェイキャスタが互いに移動を禁止し合うことによって家具本体或いは接地体を好適に移動不能に固定することができるとともに、傾斜姿勢とすれば接地しているキャスタによって好適に家具本体或いは接地体を移動させ得るキャスタ付家具、並びにキャスタの取付構造とすることができる。すなわち、キャスタを移動不能に固定するための格別の手段を用いることなく好適に家具本体並びに接地体を載置し得るものとすることができる。ひいてはキャスタにロック機構等を付与する必要性を有効に排除してキャスタ付家具並びにキャスタを構成するコストを有効に削減することも可能である。
【発明を実施するための最良の形態】
【００２３】
以下、本発明の実施形態について図面を参照して説明する。
【００２４】
＜第一実施形態＞
本発明の第一実施形態に係るキャスタ付家具であるデスクＤを図１に示す。
【００２５】
デスクＤは、家具本体すなわち天板付家具たるデスク本体Ｄｈと、後述する脚体２を構成する脚部２２の下端部に取り付けられデスク本体Ｄｈと床面との間に介在し、デスク本体Ｄｈを支持している複数のキャスタＣたる後述するワンウェイキャスタＣ１とによって構成しているものである。言い換えれば、床面に接地している接地体たるデスク本体ＤｈにキャスタＣたるワンウェイキャスタＣ１を取り付けることによって当該ワンウェイキャスタＣ１にデスク本体Ｄｈを支持させてなるキャスタＣの取付構造Ｘ１を採用したものである。
【００２６】
ここで、本実施形態に係る取付構造Ｘ１を採用したキャスタ付家具たるデスクＤは、複数のキャスタＣを、所定の一方向への移動方向のみ移動し且つ当該移動方向以外の方向への移動を禁止し得るワンウェイキャスタＣ１を複数含み、当該複数のワンウェイキャスタＣ１の移動方向を複数方向に設定して配置したものとし、これらワンウェイキャスタＣ１が全て接地するようにデスク本体Ｄｈを載置した載置姿勢Ｐ１において複数のワンウェイキャスタＣ１が移動方向への移動を互いに禁止し合うことによりデスク本体Ｄｈが移動不能に固定されるように構成するとともに、載置姿勢Ｐ１からデスク本体Ｄｈを傾斜させた傾斜姿勢Ｌ１において、少なくとも一以上のワンウェイキャスタＣ１が床面から離間し且つ接地しているワンウェイキャスタＣ１によってデスク本体Ｄｈを移動させ得るように構成してなることを特徴としたものである。
【００２７】
以下、デスクＤの構成について詳述する。
【００２８】
デスクＤは、例えば学校や他の施設等において好適に用いられるものであり、デスク本体Ｄｈと、複数のキャスタＣたる４つのワンウェイキャスタＣ１とを有してなるものである。なお本実施形態においてはキャスタＣとしてワンウェイキャスタＣ１のみを採用している。
【００２９】
デスク本体Ｄｈは、天板１と脚体２とによって構成されている。天板１は、例えば合板によって構成された矩形状のものであり、上面１０側を略平坦に構成するととともに裏面１１側において図示しない複数のビス穴を設けることによって脚体２を適宜ビス止めすることにより固定している。また、同図において天板１の図示手前側を使用端１ａ側とし、図示向こう側を反使用端１ｂ側として、当該使用端１ａ側から反使用端１ｂ側を前後方向と記し当該前後方向に直交する方向を巾方向と記すこととする。脚体２は、例えば板金並びにパイプを主体によって構成されるものであり、天板１の裏面１１側において一時的に荷物を収納し得る収納空間を天板１とともに構成する収納部２１と、例えばスチール製のパイプを主体としてなる脚部２２とによって構成されている。収納部２１は板金を適宜折り曲げ且つ部分的に溶接することによって天板１の使用端１ａ側に及び上方に開口するように構成され上端部を部分的に折り曲げるなどして当該折り曲げ部分にビス止め穴等を設け、上端部を天板１の裏面１１側にビス止め等することにより、天板１の下方に使用端１ａ側に開口する収納空間を構成している（図示せず）。なお収納部２１の両側には手荷物を一時的に掛けておくフックｆを取り付けている。一方、脚部２２は直径が異なる２種類のパイプを適宜折り曲げ溶接することによって構成している。そして、本実施形態においては、天板１の裏面１１側の各隅部において、計４本の脚パイプ２２１ａ、２２１ｂ、すなわち、使用端１ａ側から垂下する２本の脚パイプ２２１ａ及び反使用端１ｂ側から垂下する２本の脚パイプ２２１ｂを、上述の収納部２１に溶接等によって接続した状態で下方に垂下させたものとしているが、脚パイプ２２１ａ、２２１ｂの態様はこのようなものに限られない。例えばスチールパイプの中心部分を天板１の裏面１１側に添接させ当該スチールパイプの両端部を下方に垂下させる逆Ｕ字状の脚パイプ２本によって４本の脚パイプ２２１ａ、２２１ｂを構成する態様としても良い。また、各脚パイプ２２１ａ、２２１ｂの下端付近並びに収納部２１付近において、脚体２全体としての強度を担保するため天板１の側縁に沿って前後方向に脚パイプ２２１ａ、２２１ｂよりも若干直径を細く構成した横架パイプ２２２を例えば溶接によって架設している。
【００３０】
ワンウェイキャスタＣ１は、上述の通り各脚パイプ２２１ａ、２２１ｂの下端部に、本実施形態に係る後に詳述する取付構造Ｘ１によって取り付けることにより、天板１の各隅部の下方すなわちデスク本体Ｄｈの平面視周縁に沿って配置している。そして本実施形態において、４本の脚パイプ２２１ａ、２２１ｂの内、使用縁１ａ側の両端部に位置するワンウェイキャスタＣ１を第一のワンウェイキャスタＣ１たる第一キャスタＣ１１とするとともに反使用縁１ｂ側に位置するワンウェイキャスタＣ１を第二のワンウェイキャスタＣ１たる第二キャスタＣ１２としている。具体的には、天板１の長手方向に延びる使用縁１ａ並びに反使用縁１ｂに沿って、すなわち天板１の対向する前後二辺の両端部に沿って第一キャスタＣ１１及び第二キャスタＣ１２を配置している。
【００３１】
またワンウェイキャスタＣ１は、上述の通り所定の一方向への移動方向のみ移動し且つ当該移動方向以外の方向への移動を禁止し得るものであればどのようなものを採用しても良いが、本実施形態では図に示したものを採用している。すなわち、矢印によって示した一方向にのみ回転可能に構成された車輪を有し、脚パイプ２２１ａ、２２１ｂに対して当該車輪を旋回不能に取り付けた態様のものを採用している。
【００３２】
しかして本実施形態に係るキャスタ付家具たるデスクＤは、移動方向をそれぞれ前後方向に沿って離反するように配置した取付構造Ｘ１を採用したものとしている。言い換えれば、家具本体、天板付家具且つ接地体であるデスク本体Ｄｈに対して、取付構造Ｘ１によってキャスタＣを取り付けたものとしている。
【００３３】
すなわち、本実施形態に係る取付構造Ｘ１を採用したキャスタ付家具たるデスクＤは、ワンウェイキャスタＣ１の移動方向を前後方向に沿って離反する方向に配置することにより、これらワンウェイキャスタＣ１を全て接地させた図１に示す載置姿勢Ｐ１において第一キャスタＣ１１及び第二キャスタＣ１２がそれぞれ移動を互いに禁止し合うように構成することによりデスク本体Ｄｈが移動不能に固定される一方で、この載置姿勢Ｐ１からデスク本体Ｄｈを傾斜させ第一キャスタＣ１１又は第二キャスタＣ１２のうち何れか一方のみ接地させた第一又は第二の傾斜姿勢Ｌ１１、Ｌ１２において、他方が床面から離間し一方によってデスク本体Ｄｈを移動させ得るように構成している。
【００３４】
このようにキャスタ付家具たるデスクＤを構成すると、図２（ａ）に示すように天板１の反使用縁１ｂすなわち第二キャスタＣ１２を持ち上げればデスク本体Ｄｈは２つの第一キャスタＣ１１のみ接地させている第一の傾斜姿勢Ｌ１１をとり、当該第一キャスタＣ１１の移動方向である使用縁１ａ側へ容易に運搬することができる。他方、図２（ｂ）に示すように使用縁１ａ側すなわち第一キャスタＣ１１を持ち上げれば、今度は第二キャスタＣ１２の移動方向である反使用縁１ｂ側へも容易に運搬することができる。加えて、どちらの傾斜姿勢Ｌ１においても、デスクＤの傾きが大きくなって例えば当該デスクＤの重心（図示せず）がワンウェイキャスタＣ１における接地点を乗り越えても、ワンウェイキャスタＣ１のは逆回転すなわち逆方向への移動が禁止されるため、デスクＤが転倒することを有効に防止することができる。勿論、ワンウェイキャスタＣ１は接地したままで逆方向への移動が禁止されるため、デスクＤの重心がワンウェイキャスタＣ１における接地点を乗り越えるまでは移動は禁止されず、乗り越えた時点でワンウェイキャスタＣ１に逆方向へ移動する方向への力が掛かっても当該方向への移動は禁止されるため、ワンウェイキャスタＣ１の接地点を支点にデスクＤが急いよく回転し、つんのめる状態になって作業者がデスクＤもろとも前方に転倒することも有効に回避することが可能となる。
【００３５】
以上のように、家具本体たるデスク本体Ｄｈに本実施形態に係る取付構造Ｘ１に従ってキャスタＣを取り付けたキャスタ付家具たるデスクＤは、デスク本体Ｄｈが載置姿勢Ｐ１と、傾斜姿勢Ｌ１とをとり得るように構成することにより、デスク本体Ｄｈを載置した載置姿勢Ｐ１において複数のワンウェイキャスタＣ１が互いに移動を禁止し合うことによってデスク本体Ｄｈを好適に移動不能に固定することができるとともに、傾斜姿勢Ｌ１とすれば接地しているキャスタＣによって好適にデスク本体Ｄｈを移動させることができる。
【００３６】
そして、傾斜姿勢Ｌ１において二つのキャスタＣが接地するように構成しているので、傾斜姿勢Ｌ１におけるデスク本体Ｄｈの移動を安定させたものとなっている。
【００３７】
また、傾斜方向がそれぞれ異なる複数の傾斜姿勢Ｌ１、すなわち第一の傾斜姿勢Ｌ１１並びに第二の傾斜姿勢Ｌ１２をとり得るように構成しているので、使用者にとって都合のよい安定した傾斜姿勢Ｌ１を選択し得るものとしてデスク本体Ｄｈを移動させ易い構成としている。
【００３８】
傾斜姿勢Ｌ１において接地しているキャスタＣがワンウェイキャスタＣ１を含むように構成しているので、傾斜姿勢Ｌ１においてデスク本体Ｄｈを移動させ得る方向を好適に設定したものとなっている。また勿論、異なる傾斜姿勢Ｌ１において移動方向を同じ方向に設定したものであってもよい。さらに、接地しているキャスタＣの全てをワンウェイキャスタＣ１としたものであっても、接地しているキャスタＣの一部がワンウェイキャスタＣ１となっているものであっても良い。
【００３９】
そして、本実施形態では傾斜方向がそれぞれ異なる第一の傾斜姿勢Ｌ１１及び第二の傾斜姿勢Ｌ１２とをとり得るように構成し、それぞれ異なる移動方向にデスク本体Ｄｈを移動させ得るように構成しているので、傾斜姿勢Ｌ１のうち第一及び第二の傾斜姿勢Ｌ１１、Ｐ１２を選択することによってデスク本体Ｄｈを移動させ得る方向を好適に選択できるものとなっている。また、複数のキャスタたるキャスタＣは、デスク本体Ｄｈの、詳細には天板１の平面視周縁に沿って配置しているので、載置姿勢ＰにおいてキャスタＣにデスク本体Ｄｈを安定して支持させている。さらに本実施形態では、キャスタＣをワンウェイキャスタＣ１のみによって構成しているので、載置姿勢Ｐ１においてデスク本体Ｄｈを確実に移動不能に構成したものとしている。
【００４０】
そしてキャスタＣにおいて、複数のワンウェイキャスタＣ１が互いに移動を好適に禁止し合う具体的な構造として、移動方向をそれぞれ離反するように配置した第一のワンウェイキャスタＣ１たる第一キャスタＣ１１と第二のワンウェイキャスタＣ１たる第二キャスタＣ１２とによって構成したものとしているため、載置姿勢Ｐ１において好適にデスク本体Ｄｈを移動不能に構成している。
【００４１】
さらに、キャスタＣを第一キャスタＣ１１の移動方向へ移動し得る第一の傾斜姿勢Ｌ１１と前記第二キャスタＣ１２の移動方向へ移動し得る第二の傾斜姿勢Ｌ１２とをそれぞれとり得るよう配置しているので、傾斜姿勢Ｌ１による傾斜方向とワンウェイキャスタＣ１による移動方向とを好適に対応させた構成としている。具体的には、第一キャスタＣ１１と第二キャスタＣ１２とがそれぞれ平行となるように複数、本実施形態では二つ配列させているため、第一及び第二キャスタＣ１１、Ｃ１２が配列する方向に直交させて傾斜方向を設定することとなり、傾斜姿勢Ｌ１による傾斜方向とワンウェイキャスタＣ１による移動方向とを分かりやすく関連付けてデスク本体Ｄｈを傾斜姿勢Ｌ１とする動作とデスク本体Ｄｈを移動させる動作を連続して行い易い構成としている。
【００４２】
とくに本実施形態では、天板付家具であるデスク本体Ｄｈに採用するための具体的な構成として、天板１における使用縁１ａ及び反使用縁１ｂに沿って第一キャスタＣ１１及び第二キャスタＣ１２をそれぞれ配置しているので、使用者にとって移動させやすいデスク本体Ｄｈを構成している。勿論天板１の形状は四角形に限られず、例えば一部にアール形状を含むものなど種々の形状を挙げることができる。また詳細には、デスク本体Ｄｈの脚部２２の下端部すなわち脚パイプ２２１ａ、２２１ｂの下端部に第一キャスタＣ１１及び第二キャスタＣ１２をそれぞれ配置して天板における対向する二辺すなわち使用縁１ａ及び反使用縁１ｂの両端部に第一キャスタＣ１１及び第二キャスタＣ１２をそれぞれ配置しているので、キャスタＣがデスク本体Ｄｈを安定して支持し得るものとしている。ここで、脚部２２は天板１の各隅部から脚パイプ２２１ａ、２２１ｂを垂下させた態様に限られず、例えば天板１の側端縁から一対の脚ベースをそれぞれ垂下させた態様であってもよい。加えて、第一キャスタＣ１１及び第二キャスタＣ１２を天板１の長手方向に沿って配置しているので、傾斜姿勢Ｌ１において長手方向両端にワンウェイキャスタＣ１がそれぞれ接地する構成として、傾斜姿勢Ｌ１においてデスク本体Ｄｈを安定して移動させることができる。
【００４３】
ここで、上述の通り第一キャスタＣ１１及び第二キャスタＣ１２の移動方向をそれぞれ離反する方向に設定しているので、使用者はデスク本体Ｄｈを使用縁１ａ側から持ち上げて押すという単純な動作により好適に移動させ得るものとなっている。
【００４４】
また、本実施形態に係るデスクＤは第一キャスタＣ１１並びに第二キャスタＣ１２を互いに離反する方向へ設定したものに限られない。
【００４５】
すなわち、本実施形態の変形例として図３に示すデスクＤ１を挙げることができる。このものは、殆どの構成は上述したデスクＤと同様であるが、第一キャスタＣ１１及び第二キャスタＣ１２の移動方向をそれぞれ対向する方向に設定したキャスタＣの取付構造Ｘ１１を採用したものである。すなわち、第一キャスタＣ１１と第二キャスタＣ１２の移動方向が互いに対向するように構成したものである。
【００４６】
この場合、図４（ａ）に示すように第一の傾斜姿勢Ｌ１１をとった場合はデスクを反使用縁１ｂ側へ押すようにすれば好適に移動させ得るものとなるとともに、図４（ｂ）に示す第二の傾斜姿勢Ｌ１２とすれば、デスクＤすなわちデスク本体Ｄｈを使用縁１ａ側へ引き寄せるように移動させ得るものとすることができる。
【００４７】
さらに、本発明はワンウェイキャスタＣ１のみを用いたキャスタ付家具たるデスクＤ、並びにワンウェイキャスタＣ１のみを取り付けている第一実施形態に係るキャスタＣの取付構造Ｘ１、Ｘ１１に限定されるものではない。すなわち、傾斜姿勢Ｌ１において接地しているキャスタＣが必ずしもワンウェイキャスタＣ１を含む必要はなく、全方向に沿って移動し得る例えば旋回可能に構成された後述する旋回キャスタＴＣのみが接地した状態となってもよい。
【００４８】
＜第二実施形態＞
次に、本発明の第二実施形態に係るテーブルＴを図５に示す。
【００４９】
このキャスタ付家具たるテーブルＴは、天板Ｔ１と脚体Ｔ２とを有する家具本体及び接地体たるテーブル本体Ｔｈに対して、詳細には脚体Ｔ２に対して後述するキャスタＣの取付構造Ｘ２によってキャスタＣを取り付けたものである。
【００５０】
天板Ｔ１は、長手方向に沿って延びる使用縁Ｔ１ａ及び反使用縁Ｔ１ｂと、これら使用縁Ｔ１ａ、反使用縁Ｔ１ｂ間を連結する両側縁とによって略矩形状の平面形状を形成している。具体的に説明すると、使用縁Ｔ１ａを直線状に形成する一方で、反使用縁Ｔ１ｂは、その両端から突出する半円形状の隆起部を形成している。なお、使用縁Ｔ１ａ並びに両側縁にはそれぞれ比較的柔軟な素材からなるバンパー部材を取り付け、それ以外の天板Ｔ１の各部は合板を始めとする各種天板素材によって一体に構成している。
【００５１】
脚部Ｔ２は、天板１の各隅部からそれぞれ垂下し且つ天板Ｔ１をそれぞれ支持する４本の脚Ｔ２１、Ｔ２２、Ｔ２３、Ｔ２４とによって構成している。
【００５２】
そして上述の通り、テーブル本体Ｔｈにおける４本の脚Ｔ２１、Ｔ２２、Ｔ２３、Ｔ２４の下端部には、本実施形態に係る取付構造Ｘ２によって複数のキャスタたるキャスタＣを取り付けている。
【００５３】
キャスタＣは、本実施形態において所定の一方向にのみ移動が許可されるワンウェイキャスタＣ２と、旋回機能を備える事により床上における全方向へ転動し得る旋回キャスタＴＣとを４本の脚Ｔ２１、Ｔ２２、Ｔ２３、Ｔ２４にそれぞれ取り付けている。詳細には、当該４本の脚Ｔ２１、Ｔ２２、Ｔ２３、Ｔ２４のうち、使用縁Ｔ１ａ側に配置された２本の脚Ｔ２１、Ｔ２２にはそれぞれワンウェイキャスタＣ２を、その移動方向が互いに対向するように取り付けている。そして本実施形態において２つのワンウェイキャスタＣ２のうち、図示左側の脚Ｔ２１に取り付けたものを第一キャスタＣ２１とし、図示右側の脚Ｔ２２に取り付けたものを第二キャスタＣ２２としている。一方、反使用縁Ｔ１ｂ側の２本の脚Ｔ２３、Ｔ２４には上述した旋回キャスタＴＣを取り付けている。
【００５４】
また、図５においてテーブルＴ即ちテーブル本体Ｔｈは、全てのキャスタＣが接地した状態となっているため、第一キャスタＣ２１及び第二キャスタＣ２２の移動し得る移動方向が互いのキャスタＣ２１、Ｃ２２にとって移動し得ない方向に設定されている。言い換えれば、第一キャスタＣ２１と第二キャスタＣ２２とが互いに移動を禁止し合うように設定することにより、床上に移動不能且つ安定して接地している載置姿勢Ｐ２となっている。
【００５５】
しかして本実施形態に係るテーブルＴは、図５に示した載置姿勢Ｐ２から家具本体たるテーブル本体Ｔｈを傾斜させた傾斜姿勢Ｌ２をとり得るように構成したものとしている。詳細には、ワンウェイキャスタＣ２或いは旋回キャスタＴＣによって図６（ａ）、図６（ｂ）及び図６（ｃ）に示す３種類の傾斜姿勢Ｌ２をとることが可能であり、各傾斜姿勢Ｌ２によってテーブル本体Ｔｈを移動させる方向がそれぞれ異なるように設定したものである。
【００５６】
以下、テーブル本体Ｔｈがとり得る３種類の傾斜姿勢Ｌ２について図を参照して説明する。
【００５７】
図６（ａ）は、例えば使用者が天板Ｔ１における図示右側の第二キャスタＣ２２が位置する側の側縁を持ち上げることによって、第一キャスタＣ２１と旋回キャスタＴＣとが接地した第一の傾斜姿勢Ｌ２１を示している。この場合、ワンウェイキャスタＣ２である第一キャスタＣ２１の移動方向（矢印）にのみテーブル本体Ｔｈが移動し得る姿勢となる。なお、旋回キャスタＴＣは、実際に矢印に示した移動方向へテーブル本体Ｔｈを移動させる際に、旋回機能により適宜旋回することによって第一キャスタＣ２１の移動方向に追従することとなる。なお、当該第一の傾斜姿勢Ｌ２１において、使用者が天板Ｔ１の側縁を持ち上げた状態で引っ張ることによって、第一キャスタＣ２１の移動方向へ真っ直ぐに安定して移動させ得るものとなるが、勿論使用者が例えば第一キャスタＣ２１の位置を支点にテーブル本体Ｔｈを適宜旋回させることによってテーブル本体Ｔｈを移動させる方向を適宜選択することは可能である。言い換えれば、ワンウェイキャスタＣ２である第一キャスタＣ２１が移動方向に直進するため、使用者は安定して家具本体Ｔｈを真っ直ぐに移動させ得るものとなっている。一方図６（ｂ）は、図示左側の第一キャスタＣ２１が位置する側の側縁を持ち上げて第二キャスタＣ２２と旋回キャスタＴＣとが接地した第二の傾斜姿勢Ｌ２２を示している。この場合旋回キャスタＴＣは上述同様に第二キャスタＣ２２に追従することにより、矢印に示した第二キャスタＣ２２の移動方向に好適にテーブル本体Ｔｈを移動させることができる。
【００５８】
他方図６（ｃ）は、天板Ｔ１の使用縁Ｔ１ａを持ち上げることにより反使用縁Ｔ１ｂ側に位置する脚Ｔ２３、Ｔ２４に取り付けた二つの旋回キャスタＴＣのみが接地した第三の傾斜姿勢Ｌ２３を示している。この場合、使用縁Ｔ１ａ側に取り付けられたワンウェイキャスタＣ２たる第一及び第二キャスタＣ２１、Ｃ２２は接地せず、全方向に転動し得る旋回キャスタＴＣのみが接地しているため、使用者は使用縁Ｔ１ａを持ち上げた状態で所望の方向へテーブル本体Ｔｈを移動させることができる。
【００５９】
以上のような構成とすることにより、本実施形態に係るキャスタ付家具たるテーブルＴ、並びにテーブル本体ＴｈにキャスタＣを取り付けた取付構造Ｘ２によれば、傾斜方向がそれぞれ異なる複数の傾斜姿勢Ｌ２すなわち第一の傾斜姿勢Ｌ２１、第二の傾斜姿勢Ｌ２２及び第三の傾斜姿勢Ｌ２３をそれぞれとり得るように構成することによって、載置姿勢Ｐ２において好適に移動不能にテーブル本体Ｔｈを固定しつつ、三種類の傾斜姿勢Ｌ２によって好適にテーブル本体Ｔｈを移動させ得るものとなっている。またこのように、複数の傾斜姿勢Ｌ２において同方向の移動方向に移動し得る構成とすることも可能である。すなわち、第三の傾斜姿勢Ｌ２３においては旋回キャスタＴＣのみが接地しているため、上述した第一及び第二の傾斜姿勢Ｌ２１、Ｌ２２と同方向にテーブル本体Ｔｈを移動させる事が可能である。
【００６０】
特に本実施形態では第一キャスタＣ２１及び第二キャスタＣ２２を天板Ｔ１の長手方向に直交する方向に沿って配置していることにより、載置姿勢Ｐ２において第一キャスタＣ２１と第二キャスタＣ２２とによって互いに移動を禁止し合い、テーブル本体Ｔｈを好適に移動不能に構成しつつ、天板Ｔ１の側方いわゆる短寸方向から持ち上げる第一の傾斜姿勢Ｌ２１及び第二の傾斜姿勢Ｌ２２をとり得る構成となっているので、例えば移動させる際に狭い箇所を通過させる際などは好適にテーブル本体を移動させることができる。
【００６１】
また、ワンウェイキャスタＣ２である第一キャスタＣ２１及び第二キャスタＣ２２の移動方向をそれぞれ対向する方向に設定したが、勿論互いに離反する方向に設定したものであっても良く、その場合上述した第一並びに第二の傾斜姿勢Ｌ２１、Ｌ２２における移動方向はそれぞれ反対に構成され、例えば使用者が天板Ｔ１の短寸側を持ち上げて押し進めるようにテーブル本体Ｔｈを移動させる構成となる。
【００６２】
さらに、本発明として用いられる家具本体並びに接地体は上述したデスク本体Ｄｈやテーブル本体Ｔｈのような天板付家具に限られるものではなく、床面に接地し得る接地体であれば本発明に係るキャスタの取付構造を広く適用することが可能である。
【００６３】
＜第三実施形態＞
続いて、本発明の第三実施形態として接地体たるスーツケースＳを挙げ、当該スーツケースＳに本発明に係るキャスタＣの取付構造Ｘ３を適用した態様について図７に示して詳述する。又同図は全てのキャスタＣが接地している載置姿勢Ｐ３を示している。
【００６４】
スーツケースＳは、荷物を収納する収納部Ｓ１とスーツケースを移動させるために使用者が好適に把持し得るハンドルＳ２とを具備している。
【００６５】
収納部Ｓ１は、本実施形態では縦長の直方体形状を有する例えば２〜３日間の旅行用として扱われる大きさを有しており、収納部Ｓ１の一部分を開閉することにより当該収納部Ｓ１の内部に収納した荷物を好適に出し入れし得るものである。ここで収納部Ｓ１の大きさ、形状としてはこのようなものに限られない。さらに、収納部Ｓ１を開閉する態様も種々の構造を採用することが可能である。そして、収納部Ｓ１の底面には後に詳述するキャスタＣを本発明に係るキャスタＣの取付構造Ｘ３によって取り付けている。
【００６６】
ハンドルＳ２は、本実施形態においては収納部Ｓ１の上方向から突出し、上端部が使用者によって把持し易い位置にまで例えば上下方向に伸縮可能に構成されたものとなっている。しかしこのハンドルＳ２の図示例はハンドルＳ２の詳細な仕様を限定するものではなく、使用者が好適に把持し、後述の通りスーツケースＳ自体を好適に移動させ得る種々の形状並びに構造を採用することができる。
【００６７】
しかして本実施形態に係るキャスタＣの取付構造Ｘ３によって、収納部Ｓ１の底面の隅部近傍において、それぞれ計四箇所にワンウェイキャスタＣ３を取り付けている。そして、収納部Ｓ１の底面におけるハンドルＳ２に近接した側に当該底面の長手方向に沿って配置された二つのワンウェイキャスタＣ３を第一キャスタＣ３１とし、当該第一キャスタＣ３１に対面する位置に配置された二つのワンウェイキャスタＣ３を第二キャスタＣ３２としている。また、第一キャスタＣ３１及び第二キャスタＣ３２の移動方向をそれぞれ矢印に示すようにそれぞれ離反する方向に設定している。そして第一キャスタＣ３１並びに第二キャスタＣ３２によってスーツケースＳは、図８に示す傾斜姿勢Ｌ３、すなわち第一の傾斜姿勢Ｌ３１並びに第二の傾斜姿勢Ｌ３２とをとり得る構成となっている。
【００６８】
以下、接地体たるスーツケースＳを移動させる第一の傾斜姿勢Ｌ３１と第二の傾斜姿勢Ｌ３２とを図８（ａ）及び図８（ｂ）に示し詳述する。
【００６９】
まず、このスーツケースＳは、図７に示す載置姿勢Ｐ３において第一キャスタＣ３１及び第二キャスタＣ３２の移動方向への移動を互いに禁止し合うことにより好適に移動不能に固定された状態となっている。そして当該スーツケースＳは、使用者がスーツケースＳを通常移動させる態様として、図８（ａ）に示した第一の傾斜姿勢Ｌ３１をとることができる。この第一の傾斜姿勢Ｌ３１において矢印に示した第一キャスタＣ３１の移動方向へのみ好適に移動させることができる。また、ワンウェイキャスタＣ３である第一キャスタＣ３１は、移動方向とは逆方向への回転が禁止されているため、不意に第一キャスタＣ３１が逆方向へ移動してしまいハンドルＳ２が使用者の手から離れてスーツケースＳが倒れてしまうという事態を有効に回避し得るものとなっている。一方、スーツケースＳの運搬中に一時的に第一の傾斜姿勢Ｃ３１から逆方向へスーツケースを移動させるときなどは図８（ｂ）に示すようにスーツケースＳを第一の傾斜姿勢Ｌ３１とは逆方向へ傾斜させた第二の傾斜姿勢Ｌ３２をとることにより、逆方向へも好適にスーツケースＳを移動させることが可能である。
【００７０】
以上のように、本実施形態に係るキャスタＣの取付構造Ｘ３は、接地体たるスーツケースＳに複数のキャスタＣを取り付け、このキャスタＣによってスーツケースＳを支持させてなるキャスタＣの取付構造Ｘ３であって、前記キャスタＣを、ワンウェイキャスタＣ３を複数含み、当該複数のワンウェイキャスタＣ３の移動方向を複数方向に設定して配置したものとし、複数のキャスタＣを全て接地させ且つ前記複数のワンウェイキャスタＣ３が矢印に示した移動方向への移動を互いに禁止し合うことによりスーツケースＳが移動不能に固定された載置姿勢Ｐ３と、載置姿勢Ｐ３からスーツケースＳを所定の傾斜方向に傾斜させた際に少なくとも一以上の前記ワンウェイキャスタＣ３が前記床面から離間し且つ接地しているキャスタＣによってスーツケースＳを移動させ得る傾斜姿勢Ｌ３とをとり得るようにキャスタＣを取り付けていることを特徴している。
【００７１】
このように構成することにより、スーツケースＳを載置した載置姿勢Ｐ３においてワンウェイキャスタＣ３が互いに移動を禁止し合うことによってスーツケースＳを好適に移動不能に固定することができるとともに、傾斜姿勢Ｌ３とすれば接地しているキャスタＣによって好適にスーツケースＳを移動させ得るものとすることができる。すなわち、スーツケースＳを載置するためにキャスタＣにロック機構を設けることや、固定脚のようにキャスタＣとは別に固定するための他の構造を採用することなく好適にスーツケースＳを載置し且つ好適に移動させ得るものとすることができる。
【００７２】
また、キャスタＣの取付構造Ｘ３を採用することにより、複数の傾斜姿勢Ｌ３すなわち第一の傾斜姿勢Ｌ３１及び第二の傾斜姿勢Ｌ３２をとり得るように構成して、例えば一時的な方向転換においても使用者がスーツケースＳを逆方向へ旋回させなければいけないといった煩わしい動作を有効に回避して第二の傾斜姿勢Ｌ３２をとり得るようにすることにより、使用者が好適にスーツケースＳを牽引し得る構成とすることができる。
【００７３】
以上、本発明の実施形態について説明したが、上述した実施形態のみに限定されるものではなく、本発明の趣旨を逸脱しない範囲で種々変形が可能である。
【００７４】
また傾斜姿勢とは、家具本体或いは接地体の全体を傾斜させる必要はなく、例えば部分的に傾斜させて一以上のワンウェイキャスタのみが床面から離間するように構成したものであっても良い。なお、複数のキャスタが互いに移動を禁止し合う他の具体的な構造として、例えば三以上のワンウェイキャスタが仮想の一点に向かうか或いは仮想の一点から離散するように配置したものを挙げることができる。
【００７５】
その他、各部の具体的構成についても上記実施形態に限られるものではなく、本発明の趣旨を逸脱しない範囲で種々変形が可能である。
【図面の簡単な説明】
【００７６】
【図１】本発明の第一実施形態に係るデスクを示す外観図。
【図２】同動作説明図。
【図３】同実施形態の変形例に係るデスクを示す外観図。
【図４】同動作説明図。
【図５】本発明の第二実施形態に係るテーブルを示す外観図。
【図６】同動作説明図。
【図７】本発明の第三実施形態に係るスーツケースを示す外観図。
【図８】同動作説明図。
【符号の説明】
【００７７】
１、Ｔ１…天板
１ａ、Ｔ１ａ…使用縁
１ｂ、Ｔ１ｂ…反使用縁
Ｃ…キャスタ
Ｃ１、Ｃ２、Ｃ３…ワンウェイキャスタ
Ｃ１１、Ｃ２１、Ｃ３１…第一のワンウェイキャスタ（第一キャスタ）
Ｃ１２、Ｃ２２、Ｃ３２…第二のワンウェイキャスタ（第二キャスタ）
Ｌ１、Ｌ２、Ｌ３…傾斜姿勢
Ｌ１１、Ｌ２１、Ｌ３１…第一の傾斜姿勢
Ｌ１２、Ｌ２２、Ｌ３２…第二の傾斜姿勢
Ｐ１、Ｐ２、Ｐ３…載置姿勢
Ｄ…キャスタ付家具（デスク）
Ｄｈ…家具本体、天板付家具、接地体（デスク本体）
Ｔ…キャスタ付家具（テーブル）
Ｔｈ…家具本体、天板付家具、接地体（テーブル本体）
Ｓ…接地体（スーツケース）
Ｘ１、Ｘ２、Ｘ３…キャスタの取付構造（取付構造）
【図１】
2006271612.tif 000003
【図２】
2006271612.tif 000004
【図３】
2006271612.tif 000005
【図４】
2006271612.tif 000006
【図５】
2006271612.tif 000007
【図６】
2006271612.tif 000008
【図７】
2006271612.tif 000009
【図８】
2006271612.tif 000010